(57)【要約】【課題】多心光ファイバテープを作業者の手によらずに一定のテンションを与えてクランプせしめると共に多心光ファイバテープを分離工具により容易かつ確実に光ファイバ心線に分離できるようにした多心光ファイバテープを分離する方法及び機構を提供することにある。【解決手段】把持機構１の両脇における一側に備えた固定クランプ１３にて、多心光ファイバテープＴの一端を把持し、この多心光ファイバテープＴに一定のテンションを与えた状態で把持機構１の他側に備えた可動クランプ１７にて多心光ファイバテープＴの他端を把持・固定し、分離工具２５を前記把持機構１に備えたスライドレール１１に沿って前記固定クランプ１３側から前記可動クランプ１７側へスライドさせて前記多心光ファイバテープＴを分離させることを特徴とする。【選択図】　　　図１
2004126130.tif 000002
【特許請求の範囲】
【請求項１】
把持機構の両脇における一側に備えた固定クランプにて、多心光ファイバテープの一端を把持し、この多心光ファイバテープに一定のテンションを与えた状態で把持機構の他側に備えた可動クランプにて多心光ファイバテープの他端を把持・固定し、分離工具を前記把持機構に備えたスライドレールに沿って前記固定クランプ側から前記可動クランプ側へスライドさせて前記多心光ファイバテープを分離させることを特徴とする多心光ファイバテープを分離する方法。
【請求項２】
左右両側に立設された固定用脚部を設け、この固定用脚部上に左右方向へ延伸された可動フレームを設け、この可動フレームの両側にそれぞれ上下方向へ延伸したクランプ用固定フレームと固定フレームとを設けると共に前記クランプ用固定フレームと固定フレーム間に左右方向へ延伸されたスライドレールを設け、前記クランプ用固定フレームの上部に多心光ファイバテープを固定せしめる固定クランプを備え、前記固定フレームの内側に前記スライドレールに沿って移動可能な上下方向へ延伸したクランプ用可動フレームを設けると共に、このクランプ用可動フレームの上部に前記多心光ファイバテープを固定せしめる可動クランプを備え、前記スライドレールに沿って前記クランプ用固定フレーム側から前記クランプ用可動フレーム側へ移動可能で、分離工具装置を上部に備えた分離工具用移動フレームを設けてなることを特徴とする多心光ファイバテープを分離する機構。
【請求項３】
前記多心光ファイバテープに一定のテンションを与えるために、可動クランプを備えた可動フレーム側にテンション装置を備えているいることを特徴とする請求項２記載の多心光ファイバテープを分離する機構。
【請求項４】
前記テンション装置にはロック機構が備えられいることを特徴とする請求項３記載の多心光ファイバテープを分離する機構。
【請求項５】
前記テンション装置がスプリングであることを特徴とする請求項３または４記載の多心光ファイバテープを分離する機構。
【請求項６】
前記テンション装置がマグネットであることを特徴とする請求項３または４記載の多心光ファイバテープを分離する機構。
【請求項７】
前記分離工具装置に工具台に乗った分離工具を押さえる工具押さえ装置を備えていることを特徴とする請求項２、３、４、５または６記載の多心光ファイバテープを分離する機構。
【請求項８】
前記固定用脚部をクロージャに固定すべく前記固定用脚部に固定装置を設けると共に前記固定用脚部に対して可動フレームを前後方向へ移動可能に設けてなることを特徴とする請求項２、３、４、５、６または７記載の多心光ファイバテープを分離する機構。
【請求項９】
前記クランプ用固定フレームの内側および前記クランプ用可動フレームの内側の前記分離工具用移動フレームのストロークエンドに、前記分離工具用移動フレームをロックせしめるロック機構を備えていることを特徴とする請求項２、３、４、５、６、７または８記載の多心光ファイバテープを分離する機構。
【発明の詳細な説明】
【０００１】
【発明の属する技術分野】
この発明は、多心光ファイバテープを分離する方法及び機構に関する。
【０００２】
【従来の技術】
光加入線路網の構築が急速に進んでおり、一般住宅に光ファイバ心線を引き込む工事が頻繁に行われている。光ケーブルの中に収容されている多心光ファイバテープの中から必要な光ファイバ心線を取り出すために、活線状態で多心光ファイバテープから任意の光ファイバ心線を分離する分離工具が使用され、多心光ファイバテープを把持する把持治具はこのような作業時に分離工具と共に使用される必要があるが、今のところ開発されていない。
【０００３】
現在のところ、作業者がクロージャ内の光ケーブルから取り出した多心光ファイバテープを片手で保持し、もう一方の手で分離工具を持ち、多心光ファイバテープを固定することなく、分離工具にて多心光ファイバテープを挟み、多心光ファイバテープに沿わせて分離工具を動かし、分離している。
【０００４】
【特許文献１】
特開平１１−２３７５１０号公報
【特許文献２】
特開平９−１０５８４２号公報
【０００５】
【発明が解決しようとする課題】
ところで、作業者が分離工具を手で持って分離作業をすると、多心光ファイバテープが固定されていないため、分離工具の位置決め用の溝に正しくセットされない。この状態で、分離工具にて多心光ファイバテープを挟むことにより、光ファイバ心線が断線したり、分離した光ファイバ心線にダメージを与えたりすることがある。
【０００６】
また、活線状態の光ファイバ心線では、分離作業中に光ファイバ心線に曲げが発生し、光ファイバ心線の曲げロスを招き、通信障害を起こすことがある。
【０００７】
また、作業者が分離工具を手で持って分離作業をすると、分離作業中に工具が開いてしまい、光ファイバ心線の長手方向で分離できない箇所が発生することがある。
【０００８】
さらに、クロージャ内の作業においては、多心光ファイバテープの余長が決まっており、作業を行いやすい位置まで多心光ファイバテープを引き出し、分離作業を行うことができない。
【０００９】
不安定なクロージャ内の作業で把持具が傾き、工具台が傾いた方向に勝手に動いてしまい、作業性が悪い。また、把持具のクランプに多心光ファイバテープを把持した状態で工具台が傾いた方向に勝手に動いてしまうことにより、光ファイバテープにダメージを与える可能性がある。
【００１０】
この発明は上述の課題を解決するためになされたもので、その目的は、多心光ファイバテープを作業者の手によらずに一定のテンションを与えてクランプせしめると共に多心光ファイバテープを分離工具により容易かつ確実に光ファイバ心線に分離できるようにした多心光ファイバテープを分離する方法及び機構を提供することにある。
【００１１】
【課題を解決するための手段】
上記目的を達成するために請求項１によるこの発明の多心光ファイバテープを分離する方法は、把持機構の両脇における一側に備えた固定クランプにて、多心光ファイバテープの一端を把持し、この多心光ファイバテープに一定のテンションを与えた状態で把持機構の他側に備えた可動クランプにて多心光ファイバテープの他端を把持・固定し、分離工具を前記把持機構に備えたスライドレールに沿って前記固定クランプ側から前記可動クランプ側へスライドさせて前記多心光ファイバテープを分離させることを特徴とするものである。
【００１２】
したがって、把持機構の両脇における一側に備えた固定クランプにて、多心光ファイバテープの一端が把持され、この多心光ファイバテープに一定のテンションを与えた状態で把持機構の他側に備えた可動クランプにて多心光ファイバテープの他端が把持・固定される。この状態で、分離工具を前記把持機構に備えたスライドレールに沿って前記固定クランプ側から前記可動クランプ側へスライドさせることで前記多心光ファイバテープが分離される。
【００１３】
而して、作業者のスキルを要さず、容易に分離作業が行われる。
【００１４】
請求項２によるこの発明の多心光ファイバテープを分離する機構は、左右両側に立設された固定用脚部を設け、この固定用脚部上に左右方向へ延伸された可動フレームを設け、この可動フレームの両側にそれぞれ上下方向へ延伸したクランプ用固定フレームと固定フレームとを設けると共に前記クランプ用固定フレームと固定フレーム間に左右方向へ延伸されたスライドレールを設け、前記クランプ用固定フレームの上部に多心光ファイバテープを固定せしめる固定クランプを備え、前記固定フレームの内側に前記スライドレールに沿って移動可能な上下方向へ延伸したクランプ用可動フレームを設けると共に、このクランプ用可動フレームの上部に前記多心光ファイバテープを固定せしめる可動クランプを備え、前記スライドレールに沿って前記クランプ用固定フレーム側から前記クランプ用可動フレーム側へ移動可能で、分離工具装置を上部に備えた分離工具用移動フレームを設けてなることを特徴とするものである。
【００１５】
したがって、前記クランプ用固定フレームの上部に備えられた固定クランプに多心光ファイバテープの一端が固定されると共にクランプ用可動フレーム上に備えられた可動クランプに前記多心光ファイバテープの他端が固定される。この状態でスライドレールに沿って分離工具用移動フレームが前記クランプ用固定フレーム側からクランプ用可動フレーム側へ向けて移動されることにより、分離工具装置も一緒に固定クランプ側から可動クランプ側へ向けて移動される。その結果、分離工具装置により前記多心光ファイバテープが各光ファイバ心線に分離される。
【００１６】
而して、作業者のスキルを要さず、容易に分離作業が行われる。また、多心光ファイバテープと分離工具装置の相対位置決めがされるので、ロスの発生が抑えられ、通信障害を起こすことがなくなると共に光ファイバ心線に傷をつけることがないので、分離作業の失敗がなくなる。
【００１７】
請求項３によるこの発明の多心光ファイバテープを分離する機構は、請求項２記載の多心光ファイバテープを分離する機構において、前記多心光ファイバテープに一定のテンションを与えるために、可動クランプを備えた可動フレーム側にテンション装置を備えていることを特徴とするものである。
【００１８】
したがって、可動クランプを備えた可動フレーム側にテンション装置が備えられているから、固定クランプと可動クランプとにクランプされた多心光ファイバテープに前記テンション装置により一定のテンションが与えられる。
【００１９】
請求項４によるこの発明の多心光ファイバテープを分離する機構は、請求項３記載の多心光ファイバテープを分離する機構において、前記テンション装置にはロック機構が備えられいることを特徴とするものである。
【００２０】
したがって、前記テンション装置にロック機構が備えられているから、このロック機構の操作で固定クランプと可動クランプとにクランプされた多心光ファイバテープに一定のテンションが与えられたり、または解除したりされる。
【００２１】
請求項５によるこの発明の多心光ファイバテープを分離する機構は、請求項３または４記載の多心光ファイバテープを分離する機構において、前記テンション装置がスプリングであることを特徴とするものである。
【００２２】
したがって、前記テンション装置がスプリングであるから、簡単な機構で容易にテンションが与えられる。
【００２３】
請求項６によるこの発明の多心光ファイバテープを分離する機構は、請求項３または４記載の多心光ファイバテープを分離する機構において、前記テンション装置がマグネットであることを特徴とするものである。
【００２４】
したがって、前記テンション装置がマグネットであるから、簡単な機構で容易にテンションが与えられる。
【００２５】
請求項７によるこの発明の多心光ファイバテープを分離する機構は、請求項２、３、４、５または６記載の多心光ファイバテープを分離する機構において、前記分離工具装置に工具台に乗った分離工具を押さえる工具押さえ装置を備えていることを特徴とするものである。
【００２６】
したがって、前記分離工具装置に工具台に乗った分離工具を押さえる工具押さえ装置が備えられているから、この工具押さえ装置で分離工具が確実に押さえられる。その結果、作業者の手で常に押さえる必要がなくなり、分離作業が容易になる。
【００２７】
請求項８によるこの発明の多心光ファイバテープを分離する機構は、請求項２、３、４、５、６または７記載の多心光ファイバテープを分離する機構において、前記固定用脚部をクロージャに固定すべく前記固定用脚部に固定装置を設けると共に前記固定用脚部に対して可動フレームを前後方向へ移動可能に設けてなることを特徴とするものである。
【００２８】
したがって、前記固定用脚部をクロージャに固定すべく前記固定用脚部に固定装置が設けられているから、作業環境を問わずに、安定した分離作業が行われる。また、前記固定用脚部に対して可動フレームが前後方向へ移動可能に設けられているから、クロージャ内のケーブル中心位置に固定クランプ、可動クランプを近づけることが可能となり、心線余長を極力抑制して分離することが可能になる。このことにより光ケーブルの光ファイバ心線引き出し長が短くなりクロージャが小型化される。
【００２９】
請求項９によるこの発明の多心光ファイバテープを分離する機構は、請求項２、３、４、５、６、７または８記載の多心光ファイバテープを分離する機構において、前記クランプ用固定フレームの内側および前記クランプ用可動フレームの内側の前記分離工具用移動フレームのストロークエンドに、前記分離工具用移動フレームをロックせしめるロック機構を備えていることを特徴とするものである。
【００３０】
したがって、前記クランプ用固定フレームの内側および前記クランプ用可動フレームの内側の前記分離工具用移動フレームのストロークエンド位置に、前記分離工具用移動フレームをロックせしめるロック機構が備えられていることにより、不安定なクロージャ内の作業で把持機構が傾いても工具台が動かないので、光ファイバテープにダメージを与える可能性がなくなる。
【００３１】
【発明の実施の形態】
以下、この発明の実施の形態について図面を参照して詳細に説明する。
【００３２】
図１、図２、図３および図４を参照するに、多心光ファイバテープを分離する機構としての把持機構１としては、左右両側に立設された断面が例えばＬ字形状の固定用脚部３Ｌ、３Ｒが設けられている。この固定用脚部３Ｌ、３Ｒ上には左右方向へ延伸された可動フレーム５が設けられている。この可動フレーム５の左右両側にはそれぞれ上下方向へ延伸した例えば逆Ｌ字形状のクランプ用固定フレーム７と上下方向へ延伸した固定フレーム９とが設けられている。前記クランプ用固定フレーム７と固定フレーム９間に左右方向へ延伸された複数のスライドレール１１が上下に適宜な間隔をあけて設けられている。前記可動フレーム５は前記固定用脚部３Ｌ、３Ｒに対して前後方向図３および図４において左右方向へ移動可能に設けられている。
【００３３】
前記クランプ用固定フレーム７の上部には例えば４心からなる多心光ファイバテープＴを固定せしめる固定クランプ１３が備えられている。前記固定フレーム９の内側には前記スライドレール１１に沿って左右方向へ僅か移動可能で、上下方向へ延伸したクランプ用可動フレーム１５が設けられていると共に、このクランプ用可動フレーム１５の上部には前記多心光ファイバテープＴを固定せしめる可動クランプ１７が備えられている。前記スライドレール１１に沿って前記クランプ用固定フレーム７と前記クランプ用可動フレーム１５との間で左右方向へ移動可能で、分離工具装置１９を上部に備えた例えば断面逆Ｌ字形状の分離工具用移動フレーム２１が設けられている。
【００３４】
この分離工具用移動フレーム２１の上部に備えられた分離工具装置１９をより詳細に説明すると、図４に示されているように、分離工具用移動フレーム２１の上部には工具台２３が設けられていると共にこの工具台２３の上部にはすでに公知の上刃と下刃などからなる分離工具２５が設けられている。そして、前記工具台２３に分離工具２５を例えばトグル機構などにより押さえる工具押さえ装置２７が備えられている。
【００３５】
前記可動クランプ１７により多心光ファイバテープＴをクランプしたときにクランプ用可動フレーム１５を図１において右方向に付勢して多心光ファイバテープＴに一定のテンションを与えるためにテンション装置であるスプリングとしての例えば引っ張りスプリング２９が前記クランプ用可動フレーム１５と前記固定フレーム９との間に設けられている。より詳細には図５（Ａ）に示されているように、この引っ張りスプリング２９をロックしたり、アンロックせしめるロック機構３１が設けられている。図５（Ａ）において、前記固定フレーム９の右側にはロックバー３３が左右方向へ延伸して装着されており、このロックバー３３の右端にはロック用ノブ３５が設けられていると共にロックバー３３の左端にはロックピン３７が設けられている。前記ロックバー３３の左端にはロック用孔３９が形成されている。
【００３６】
また、前記クランプ用固定フレーム７の内側で前記分離工具用移動フレーム２１のストロークエンドすなわち、図２において前記可動フレーム５には、前記分離工具用移動フレーム２１をロックせしめるロック機構としてのプランジャー４１が設けられていると共に、前記分離工具用移動フレーム２１の下部にはロック溝４３が形成されている。また、前記クランプ用可動フレーム１５の内側で前記分離工具用移動フレーム２１のストロークエンドすなわち、図２において前記クランプ用可動フレーム１５の内側側面には前記分離工具用移動フレーム２１をロックせしめるロック機構としてのマグネット４５が埋め込まれている。
【００３７】
上記構成により、多心光ファイバテープＴを固定して各光ファイバ心線に分離せしめる分離方法を説明すると、まず、前記クランプ用固定フレーム７の上部に備えられた固定クランプ１３に多心光ファイバテープＴの一端を固定せしめる。次いで、クランプ用可動フレーム１５上に備えられた可動クランプ１７に前記多心光ファイバテープＴの他端を固定せしめる。この状態で、分離工具用移動フレーム２１をスライドレール１１に沿って前記クランプ用固定フレーム７側のストロークエンドに移動させると、分離工具用移動フレーム２１の下部に形成されたロック溝４３に前記可動フレーム５に設けられたプランジャー４１がはまり込み、分離工具用移動フレーム２１が一旦ロックされる。
【００３８】
そして、前記分離工具装置１９における分離工具２５の上下刃で前記多心光ファイバテープＴを把持させてた後、工具押さえ装置２７で分離工具装置１９を押さえる。この状態で、分離工具用移動フレーム２１がスライドレール１１に沿って前記クランプ用固定フレーム７側からクランプ用可動フレーム１５側へ向けて移動されることにより、分離工具用移動フレーム２１がアンロックされた後、分離工具装置１９も一緒に固定クランプ側１３から可動クランプ１７側へ向けて移動される。そして、前記クランプ用可動フレーム１５の内側側面に埋め込まれているマグネット４５で分離工具用移動フレーム２１がロックされる。その結果、分離工具２５の上下刃により前記多心光ファイバテープＴが各光ファイバ心線に分離されることになる。
【００３９】
而して、作業者のスキルを要さず、容易に分離作業を行うことができる。また、多心光ファイバテープＴと分離工具装置１９の相対位置決めがされるので、ロスの発生を抑えることができ、通信障害を起こすことがなくなると共に光ファイバ心線に傷をつけることがないので、分離作業の失敗をなくすることができる。前記テンション装置がスプリングの引っ張りスプリング２９であるから、簡単な機構で容易にテンションを与えることができる。
【００４０】
可動クランプ１７を備えた可動フレーム５にテンション装置の引っ張りスプリング２９が備えられているから、固定クランプ１３と可動クランプ１７とにクランプされた多心光ファイバテープＴに一定のテンションを与えることができる。
【００４１】
また、前記テンション装置の引っ張りスプリング２９にロック機構３１が備えられているから、このロック機構３１の操作で固定クランプ１３と可動クランプ１７とにクランプされた多心光ファイバテープＴに一定のテンションを与えることができたり、または解除したりすることを容易に行うことができる。すなわち、図５（Ａ）の状態において、ロックノブ３５を手で持って左方へ押すとロックバー３３を介してクランプ用可動フレーム１５が僅か左方へ移動して図５（Ｂ）に示した状態になる。その状態で、例えばロックノブ３５を反時計方向回りに９０度回すと、ロックピン３７がロック用孔３９からでて固定フレーム９の左端に当接して引っ張りスプリング２９が伸びた状態でロックされることになる。
【００４２】
ロックを解除する際には上記の操作の逆動作を行うことにより、ロックノブ３５を時計方向回りに９０度回すと、引っ張りスプリング２９の力でロックバー３３が右方へ移動しロックピン３７がロック用孔３９に入る。その結果、図５（Ａ）に示した状態になり、引っ張りスプリング２９により可動クランプ１７を備えた可動フレーム５が右方向へ付勢されて多心光ファイバテープＴに一定のテンションを与えることができる。
【００４３】
前記分離工具装置１９には工具台２３に乗った分離工具２５を押さえる工具押さえ装置２７が備えられているから、この工具押さえ装置２７で分離工具２３が押さえられる。その結果、作業者の手で常に押さえる必要をなくすることができ、分離作業を容易にすることができる。
【００４４】
図６には図１に代わる他の実施の形態が示されている。図６において図１における部品と同じ部品には同一の符号を付して重複する説明を省略する。図６において図１における引っ張りスプリング２９の代わりに引っ張りマグネット４１を用いたものである。このように、引っ張りスプリング２９の代わりにマグネットの引っ張りマグネット４７を用いても、同様に、可動クランプ１７を備えた可動フレーム５が右方向へ付勢されて多心光ファイバテープＴに一定のテンションを与えることができる。そして、前記テンション装置がマグネットの引っ張りマグネット４７であるから、簡単な機構で容易にテンションを与えることができる。
【００４５】
図７には把持機構１をクロージャ４９におけるクロージャフレーム５１の前部に取り付けた状態が示されている。図７において、クロージャフレーム５１の前部の下部に設けられた取付部材５３に、把持機構１における前記固定用脚部３Ｒ、３Ｌの後端部（図７において右端部）に設けられた固定装置５５としての例えばＵ字形状の溝５７の上部部分５９が挿入され、前記固定用脚部３Ｒ、３Ｌの下方から例えばボルト６１により固定される。そして、前記固定用脚部３Ｒ、３Ｌに対して前記可動フレーム５が前後方向（図７において左右方向）へ移動可能に設けられているから、光ケーブルＫの径に合わせて前記固定用脚部３Ｒ、３Ｌに対して前記可動フレーム５を前後方向へ移動させることができる。
【００４６】
その結果、前記固定用脚部３Ｒ、３Ｌをクロージャ４９のクロージャフレーム５１に固定すべく前記固定用脚部３Ｒ、３Ｌに固定装置５５が設けられているから、作業環境を問わずに、安定した分離作業を行うことができる。また、前記固定用脚部３Ｒ、３Ｌに対して可動フレーム５が前後方向へ移動可能に設けられているから、クロージャ４９内の光ケーブル中心位置に固定クランプ１３、可動クランプ１７を光ケーブルＫの径に合わせて近づけることを可能にすることができ、心線余長を極力抑制して分離することを可能にすることができる。このことにより光ケーブルＫの光ファイバ心線引き出し長が短くなりクロージャを小型化にすることができる。
【００４７】
また、前記クランプ用固定フレーム７の内側および前記クランプ用可動フレーム１５の内側の前記分離工具用移動フレーム２１のストロークエンドに、前記分離工具用移動フレーム２１をロックせしめるロック機構としてプランジャー４１、マグネット４５が備えられていることにより、不安定なクロージャ４９内の作業で把持機構１が傾いても工具台２３が動かないので、光ファイバテープＴにダメージを与える可能性をなくすることができる。
【００４８】
なお、この発明は前述した実施の形態に限定されることなく、適宜な変更を行うことによりその他の態様で実施し得るものである。
【００４９】
【発明の効果】
以上のごとき発明の実施の形態の説明から理解されるように、請求項１の発明によれば、把持機構の両脇における一側に備えた固定クランプにて、多心光ファイバテープの一端が把持され、この多心光ファイバテープに一定のテンションを与えた状態で把持機構の他側に備えた可動クランプにて多心光ファイバテープの他端が把持・固定される。この状態で、分離工具を前記把持機構に備えたスライドレールに沿って前記固定クランプ側から前記可動クランプ側へスライドさせることで前記多心光ファイバテープが分離される。
【００５０】
而して、作業者のスキルを要さず、容易に分離作業を行うことができる。
【００５１】
請求項２の発明によれば、前記クランプ用固定フレームの上部に備えられた固定クランプに多心光ファイバテープの一端が固定されると共にクランプ用可動フレーム上に備えられた可動クランプに前記多心光ファイバテープの他端が固定される。この状態でスライドレールに沿って分離工具用移動フレームが前記クランプ用固定フレーム側からクランプ用可動フレーム側へ向けて移動されることにより、分離工具装置も一緒に固定クランプ側から可動クランプ側へ向けて移動される。その結果、分離工具装置により前記多心光ファイバテープが各光ファイバ心線に分離される。
【００５２】
而して、作業者のスキルを要さず、容易に分離作業を行うことができる。また、多心光ファイバテープと分離工具装置の相対位置決めがされるので、ロスの発生を抑えることができ、通信障害を起こすことがなくなると共に光ファイバ心線に傷をつけることがないので、分離作業の失敗をなくすることができる。
【００５３】
請求項３の発明によれば、可動クランプを備えた可動フレーム側にテンション装置が備えられているから、固定クランプと可動クランプとにクランプされた多心光ファイバテープに一定のテンションを与えることができる。
【００５４】
請求項４の発明によれば、前記テンション装置にロック機構が備えられているから、このロック機構の操作で固定クランプと可動クランプとにクランプされた多心光ファイバテープに一定のテンションを与えることができたり、または解除したりすることを容易に行うことができる。
【００５５】
請求項５の発明によれば、前記テンション装置がスプリングであるから、簡単な機構で容易にテンションを与えることができる。
【００５６】
請求項６の発明によれば、前記テンション装置がマグネットであるから、簡単な機構で容易にテンションを与えることができる。
【００５７】
請求項７の発明によれば、前記分離工具装置に工具台に乗った分離工具を押さえる工具押さえ装置が備えられているから、この工具押さえ装置で分離工具が押さえられる。その結果、作業者の手で常に押さえる必要をなくすることができ、分離作業を容易にすることができる。
【００５８】
請求項８の発明によれば、前記固定用脚部をクロージャに固定すべく前記固定用脚部に固定装置が設けられているから、作業環境を問わずに、安定した分離作業を行うことができる。また、前記固定用脚部に対して可動フレームが前後方向へ移動可能に設けられているから、クロージャ内のケーブル中心位置に固定クランプ、可動クランプを光ケーブルの径に合わせて近づけることを可能にすることができ、心線余長を極力抑制して分離することを可能にすることができる。このことにより光ケーブルの光ファイバ心線引き出し長が短くなりクロージャを小型化にすることができる。
【００５９】
請求項９の発明によれば、前記クランプ用固定フレームの内側および前記クランプ用可動フレームの内側の前記分離工具用移動フレームのストロークエンドに、前記分離工具用移動フレームをロックせしめるロック機構が備えられていることにより、不安定なクロージャ内の作業で把持機構が傾いても工具台が動かないので、光ファイバテープにダメージを与える可能性をなくすることができる。
【図面の簡単な説明】
【図１】この発明の把持機構の平面図である。
【図２】図１における正面図である。
【図３】図２におけるＩＩＩ−ＩＩＩに線に沿った断面図である。
【図４】図２におけるＩＶ−ＩＶ線に沿った断面図である。
【図５】（Ａ）、（Ｂ）は多心光ファイバテープに一定のテンションを与えるためのロック装置の動作説明図である。
【図６】図１に代わる他の把持機構の平面図である。
【図７】この発明の把持機構をクロージャに取り付けた状態の側面図である。
【符号の説明】
１　把持機構（多心光ファイバテープを分離する機構）
３Ｌ、３Ｒ　固定用脚部
５　可動フレーム
７　クランプ用固定フレーム
９　固定フレーム
１１　スライドレール
１３　固定クランプ
１５　クランプ用可動フレーム
１７　可動クランプ
１９　分離工具装置
２１　分離工具用移動フレーム
２３　工具台
２５　分離工具
２７　工具押さえ装置
２９　引っ張りスプリング（テンション装置）
３１　ロックバー
３３　ロック装置
３５　ロックノブ
３７　ロックピン
３９　ロック用孔
４１　引っ張りマグネット
４１　プランジャー（ロック機構）
４３　ロック溝（ロック機構）
４５　マグネット（ロック機構）
４７　引っ張りマグネット
４９　クロージャ
５１　クロージャフレーム
５３　取付部材
５５　固定装置
５９　上部部分
６１　ボルト
【図１】
2004126130.tif 000003
【図２】
2004126130.tif 000004
【図３】
2004126130.tif 000005
【図４】
2004126130.tif 000006
【図５】
2004126130.tif 000007
【図６】
2004126130.tif 000008
【図７】
2004126130.tif 000009